【手続補正書】
【提出日】平成17年1月17日(2005.1.17)
【手続補正１】
【補正対象書類名】明細書
【補正対象項目名】発明の名称
【補正方法】変更
【補正の内容】
【発明の名称】データ送信方法、データ受信方法、データ伝送方法、データ送信装置、データ受信装置、データ伝送システム及び通信端末
【手続補正２】
【補正対象書類名】明細書
【補正対象項目名】特許請求の範囲
【補正方法】変更
【補正の内容】
【特許請求の範囲】
【請求項１】
入力したデータを、所定のシンボル単位毎に第１のデータ列と第２のデータ列とに分離し、
分離された前記第２のデータ列に応じて、予め用意された複数の直交コードの中から１つを選択して、その選択されたコードで前記第１のデータ列を拡散し、
前記拡散された第１のデータ列を所定の変調方式で変調して送信する
データ送信方法。
【請求項２】
請求項１記載のデータ送信方法において、
前記第２のデータ列に応じて選択される複数の直交コードは、同じ周期のコードである
データ送信方法。
【請求項３】
受信信号を、予め用意された複数の直交コードで個別に逆拡散し、
前記逆拡散されたそれぞれの受信信号の中から、正しい直交コードで逆拡散された信号を選択し、
前記選択された信号を所定の復調方式で復調して、第１の受信データ列を得、
前記選択で選ばれた正しい直交コードに対応した第２の受信データ列を得、
前記第１の受信データ列と前記第２の受信データ列を合成して、受信データを得る
データ受信方法。
【請求項４】
請求項３記載のデータ受信方法において、
前記予め用意された複数の直交コードは、同じ周期のコードである
データ受信方法。
【請求項５】
データを伝送する伝送方法において、
送信側で、入力したデータを、所定のシンボル単位毎に第１のデータ列と第２のデータ列とに分離し、
分離された前記第２のデータ列に応じて、予め用意された複数の直交コードの中から１つを選択して、その選択されたコードで前記第１のデータ列を拡散し、
前記拡散された第１のデータ列を所定の変調方式で変調して送信し、
受信側で、送信された信号を受信して、前記直交コードと同じ複数の直交コードで個別  に逆拡散し、
前記逆拡散されたそれぞれの受信信号の中から、正しい直交コードで逆拡散された信号を選択し、
前記選択された信号を所定の復調方式で復調して、第１の受信データ列を得、
前記選択で選ばれた正しい直交コードに対応した第２の受信データ列を得、
前記第１の受信データ列と前記第２の受信データ列を合成して、受信データを得る
データ伝送方法。
【請求項６】
請求項５記載のデータ伝送方法において、
送信側及び受信側で用意される前記複数の直交コードは、同じ周期のコードである
データ伝送方法。
【請求項７】
入力したデータを、所定のシンボル単位毎に第１のデータ列と第２のデータ列とに分離する分離手段と、
前記分離手段で分離された前記第２のデータ列に応じて、予め用意された複数の直交コードの中から１つを選択して、その選択されたコードで前記第１のデータ列を拡散する拡散手段と、
前記拡散された第１のデータ列を所定の変調方式で変調する変調手段とを備えた
データ送信装置。
【請求項８】
請求項７記載のデータ送信装置において、
前記第２のデータ列に応じて選択される複数の直交コードは、同じ周期のコードである
データ送信装置。
【請求項９】
受信信号を、予め用意された複数の直交コードで個別に逆拡散する逆拡散手段と、
前記逆拡散されたそれぞれの受信信号の中から、正しい直交コードで逆拡散された信号を選択する選択手段と、
前記選択手段で選択された信号を所定の復調方式で復調して、第１の受信データ列を得る復調手段と、
前記選択手段での選択で選ばれた正しい直交コードに対応した第２の受信データ列を得て、前記第１の受信データ列と前記第２の受信データ列を合成して、受信データを得る合成手段とを備えた
データ受信装置。
【請求項１０】
請求項９記載のデータ受信装置において、
前記予め用意された複数の直交コードは、同じ周期のコードである
データ受信装置。
【請求項１１】
データを伝送する伝送システムにおいて、
送信側として、
入力したデータを、所定のシンボル単位毎に第１のデータ列と第２のデータ列とに分離する分離手段と、
前記分離手段で分離された前記第２のデータ列に応じて、予め用意された複数の直交コードの中から１つを選択して、その選択されたコードで前記第１のデータ列を拡散する拡散手段と、
前記拡散手段で拡散された第１のデータ列を所定の変調方式で変調して送信信号とする変調手段とを備え、
受信側として、
前記送信信号を受信して、前記直交コードと同じ複数の直交コードで個別に逆拡散する逆拡散手段と、
前記逆拡散されたそれぞれの受信信号の中から、正しい直交コードで逆拡散された信号を選択する選択手段と、
前記選択手段で選択された信号を所定の復調方式で復調して、第１の受信データ列を得る復調手段と、
前記選択手段での選択で選ばれた正しい直交コードに対応した第２の受信データ列を得て、前記第１の受信データ列と前記第２の受信データ列を合成して、受信データを得る合成手段とを備えた
データ伝送システム。
【請求項１２】
請求項１１記載のデータ伝送システムにおいて、
送信側及び受信側で用意される前記複数の直交コードは、同じ周期のコードである
データ伝送システム。
【請求項１３】
データ送信装置を備える通信端末において、
前記データ送信装置は、
入力したデータを、所定のシンボル単位毎に第１のデータ列と第２のデータ列とに分離する分離手段と、
前記分離手段で分離された前記第２のデータ列に応じて、予め用意された複数の直交コードの中から１つを選択して、その選択されたコードで前記第１のデータ列を拡散する拡散手段と、
前記拡散された第１のデータ列を所定の変調方式で変調する変調手段とを具備した
通信端末。
【請求項１４】
請求項１３記載の通信端末において、
前記第２のデータ列に応じて選択される複数の直交コードは、同じ周期のコードである
通信端末。
【請求項１５】
データ受信装置を備える通信端末において、
受信信号を、予め用意された複数の直交コードで個別に逆拡散する逆拡散手段と、
前記逆拡散されたそれぞれの受信信号の中から、正しい直交コードで逆拡散された信号を選択する選択手段と、
前記選択手段で選択された信号を所定の復調方式で復調して、第１の受信データ列を得る復調手段と、
前記選択手段での選択で選ばれた正しい直交コードに対応した第２の受信データ列を得て、前記第１の受信データ列と前記第２の受信データ列を合成して、受信データを得る合成手段とを具備した
通信端末。
【請求項１６】
請求項１５記載の通信端末において、
前記予め用意された複数の直交コードは、同じ周期のコードである
通信端末。
【請求項１７】
通信端末において、
データ送信装置として、
入力したデータを、所定のシンボル単位毎に第１のデータ列と第２のデータ列とに分離する分離手段と、
前記分離手段で分離された前記第２のデータ列に応じて、予め用意された複数の直交コードの中から１つを選択して、その選択されたコードで前記第１のデータ列を拡散する拡散手段と、
前記拡散手段で拡散された第１のデータ列を所定の変調方式で変調して送信信号とする変調手段とを備え、
データ受信装置として、
前記送信信号を受信して、前記直交コードと同じ複数の直交コードで別個に逆拡散する逆拡散手段と、
前記逆拡散されたそれぞれの受信信号の中から、正しい直交コードで逆拡散された信号を選択する選択手段と、
前記選択手段で選択された信号を所定の復調方式で復調して、第１の受信データ列を得る復調手段と、
前記選択手段での選択で選ばれた正しい直交コードに対応した第２の受信データ列を得て、前記第１の受信データ列と前記第２の受信データ列を合成して、受信データを得る合成手段とを備えた
通信端末。
【請求項１８】
請求項１７記載の通信端末において、
前記予め用意される複数の直交コードは、同じ周期のコードである
通信端末。
【手続補正３】
【補正対象書類名】明細書
【補正対象項目名】００１１
【補正方法】変更
【補正の内容】
【００１１】
【発明の属する技術分野】
本発明は、例えばＣＤＭＡ（Code Division Multiple Access：符号分割多元接続）方式の無線伝送に適用して好適なデータ送信方法、データ受信方法、データ伝送方法、データ送信装置、データ受信装置及びデータ伝送システム、並びに通信端末に関する。